(57)【要約】【課題】電子機器の電源用受穴部に対し、電源ケーブルを挿抜する際や挿入中における接続の安全性を向上させる挿抜機構を提供することである。【解決手段】電源ケーブル８０のプラグ８１を挿抜する電源用受穴部（電源インレット１０）と、電源インレット１０と相互に連動して電源インレット１０の挿抜方向への移動を可能とさせる受穴部移動機構部２０と、受穴部移動機構部２０と相互に連動して開閉可能に設置されるカバー部材３０と、を備え、電源ケーブル８０を電源インレット１０に挿入し、カバー部材３０を閉塞した場合、受穴部移動機構部２０は、電源インレット１０を挿入方向に移動させ、カバー部材３０は、挿入された電源ケーブル８０のプラグ８１を覆う。【選択図】図３
2010160907.tif 000002
【特許請求の範囲】
【請求項１】
電源ケーブルのプラグを挿抜する電源用受穴部と、
前記電源用受穴部と相互に連動して前記電源用受穴部の前記挿抜方向への移動を可能とさせる受穴部移動機構部と、
前記受穴部移動機構部と相互に連動して開閉可能に設置されるカバー部材と、を備え、
前記電源ケーブルを前記電源用受穴部に挿入し、前記カバー部材を閉塞した場合、前記受穴部移動機構部は、前記電源用受穴部を挿入方向に移動させ、前記カバー部材は、挿入された前記電源ケーブルの前記プラグを覆うことを特徴とする電源ケーブル挿抜機構。
【請求項２】
請求項１に記載の電源ケーブル挿抜機構であって、
前記電源用受穴部と相互に連動して移動するレバーを更に備え、
前記受穴部移動機構部による前記電源用受穴部の挿入方向への移動に連動して移動した前記レバーを前記レバーの初期位置に戻す動作が行われた場合、前記電源用受穴部は連動して抜去方向に移動して前記電源用受穴部の初期位置に戻り、前記電源用受穴部の移動に連動する前記受穴部移動機構部により、前記カバー部材は、前記電源ケーブルの前記プラグを開放して前記カバー部材の初期位置に戻ることを特徴とする電源ケーブル挿抜機構。
【請求項３】
請求項２に記載の電源ケーブル挿抜機構であって、
前記電源用受穴部の抜去方向への移動に連動する前記受穴部移動機構部に連動し、前記プラグを押し出すプラグ押出部材を有するプラグ押出機構部を更に備えることを特徴とする電源ケーブル挿抜機構。
【発明の詳細な説明】
【技術分野】
【０００１】
本発明は、電源ケーブル挿抜機構に関する。
【背景技術】
【０００２】
従来、電子機器には、電源用受穴部としての電源インレットが筐体の外面に設置されており、その電源インレットに、別体で用意される電源ケーブルを挿入して接続することにより、電子機器に電力を供給している。
【０００３】
特許文献１では、システム装置に電源ユニットを挿抜する際の挿抜用補助部材を用いた構造が開示されている。そして、電源ユニットのＡＣインレットに装着したＡＣプラグを抜く際、挿抜用補助部材が軸部材を中心に回転（傾斜）する回転力を利用し、挿抜用補助部材に形成されるプラグ挿抜穴をＡＣプラグの肩（段差部分）に引っ掛けて抜いている。
【０００４】
【特許文献１】特開２００１−８５１０５号公報
【発明の開示】
【発明が解決しようとする課題】
【０００５】
従来、電源インレットと電源ケーブルを接続し、電子機器を使用している途中において、電源ケーブルに人や物が当たることなどにより、電源ケーブルのプラグと電源インレットとの接続が不完全になるなどの課題があった。また、電子機器の使用後に、電源ケーブルを抜く際、プラグをこじったり、また、ケーブル部分を引っ張ったりすることにより、電源ケーブルのプラグとケーブルとが切断するなどの課題があった。なお、特許文献１による構造では、ＡＣプラグをＡＣインレットから抜く際、こじる状態で抜くことになるため、上記と同様に、安全性の面で課題がある。従って、電子機器の電源用受穴部に対し、電源ケーブルを挿抜する際や挿入中における接続の安全性を向上させる挿抜機構が要望されていた。
【課題を解決するための手段】
【０００６】
本発明は、上述した課題の少なくとも一部を解決するためになされたものであり、以下の形態または適用例として実現することが可能である。
【０００７】
［適用例１］本適用例に係る電源ケーブル挿抜機構は、電源ケーブルのプラグを挿抜する電源用受穴部と、電源用受穴部と相互に連動して電源用受穴部の挿抜方向への移動を可能とさせる受穴部移動機構部と、受穴部移動機構部と相互に連動して開閉可能に設置されるカバー部材と、を備え、電源ケーブルを電源用受穴部に挿入し、カバー部材を閉塞した場合、受穴部移動機構部は、電源用受穴部を挿入方向に移動させ、カバー部材は、挿入された電源ケーブルのプラグを覆うことを特徴とする。
【０００８】
このような電源ケーブル挿抜機構によれば、カバー部材を閉塞した場合、電源ケーブルが挿入された電源用受穴部が、例えば、電子機器（プロジェクターなど）の筐体内部（挿入方向）に移動し、カバー部材は、電源ケーブルのプラグを覆うように閉塞することで、電源ケーブルのケーブル部分が、閉塞したカバー部材から出ている状態となる。従って、電子機器に電源ケーブルを接続した（電子機器の使用中など）状態では、電源ケーブルに人や物が当たっても、電源ケーブルのケーブル部分に当たることになり、電源ケーブルのプラグに当たることを回避することができるため、電源ケーブルと電源用受穴部との接続が不完全となる確率を低減させ、接続の安全性を向上させることができる。
【０００９】
［適用例２］上記適用例に係る電源ケーブル挿抜機構は、電源用受穴部と相互に連動して移動するレバーを更に備え、受穴部移動機構部による電源用受穴部の挿入方向への移動に連動して移動したレバーをレバーの初期位置に戻す動作が行われた場合、電源用受穴部は連動して抜去方向に移動して電源用受穴部の初期位置に戻り、電源用受穴部の移動に連動する受穴部移動機構部により、カバー部材は、電源ケーブルのプラグを開放してカバー部材の初期位置に戻ることが好ましい。
【００１０】
このような電源ケーブル挿抜機構によれば、レバーを初期位置に戻す動作により、電源用受穴部が抜去方向に移動して電源用受穴部の初期位置に戻り、カバー部材は、電源ケーブルのプラグを開放してカバー部材の初期位置に戻ることで、ユーザーは、電源用受穴部に挿入した電源ケーブルを安全に抜くことができる。
なお、レバーの初期位置、電源用受穴部の初期位置、およびカバー部材の初期位置は、電源用受穴部に最初に電源ケーブルを挿入する状態におけるレバーの位置、電源用受穴部の位置、およびカバー部材の位置としている。
【００１１】
［適用例３］上記適用例に係る電源ケーブル挿抜機構において、電源用受穴部の抜去方向への移動に連動する受穴部移動機構部に連動し、プラグを押し出すプラグ押出部材を有するプラグ押出機構部を更に備えることが好ましい。
【００１２】
このような電源ケーブル挿抜機構によれば、レバーを初期位置に戻す動作が行われた場合、電源用受穴部が連動して抜去方向へ移動すると共に、受穴部移動機構部が連動し、この受穴部移動機構部に連動するプラグ押出機構部のプラグ押出部材が、プラグを押し出す。これにより、レバーを初期位置に戻す動作を行うことにより、プラグ押出機構部（プラグ押出部材）がプラグを押し出し、プラグを抜くことができる。従って、電源ケーブル（プラグ）をこじることなく抜くことができるため、電源ケーブルのプラグとケーブルとの接続部分や、電源用受穴部の端子部分に無理な力などが加わることがないため、抜去する際の接続の安全性を向上させることができる。
【発明を実施するための最良の形態】
【００１３】
以下、実施形態を図面に基づいて説明する。
（実施形態）
【００１４】
図１は、本発明の実施形態に係る電源ケーブル挿抜機構を備えたプロジェクターの概略斜視図である。図１を参照して、プロジェクター１００の構成および動作を簡単に説明する。
【００１５】
本実施形態では、電源ケーブル挿抜機構１を電子機器としてのプロジェクター１００に備えた構成となっている。プロジェクター１００は、パーソナルコンピューター（図示省略）などと接続して、パーソナルコンピューターからの画像信号に基づいて、光源（図示省略）から射出される光を変調し、変調された画像光をスクリーン（図示省略）などに拡大投写する機器である。そして、プロジェクター１００は、外装を構成する筐体１０１内部に、光源を含み、投写するための光学装置（図示省略）、画像信号を処理する画像処理回路（図示省略）、構成各部に電力を供給する電力供給部（図示省略）などを有して構成されている。
【００１６】
また、プロジェクター１００は、筐体１０１前面（投写方向）に、光学装置を構成して延出する投写レンズ１０２や、筐体１０１上面に、各種操作スイッチ１０３や、筐体１０１背面に、各種外部機器からの出力信号を入力する入力端子部１０４などが設置されている。そして、プロジェクター１００は、筐体１０１の一方の側面に、矩形状の開口部１０５を有し、その内部に、電源ケーブル８０のプラグ（インレットプラグ）８１を接続して商用電源から筐体１０１内部の電力供給部に交流電力を入力するための電源用受穴部としての電源インレット１０が設置されている。
【００１７】
なお、電源ケーブル８０は、電源インレット１０に接続するプラグ８１と、コンセント（図示省略）に差し込むコンセントプラグ８３と、プラグ８１とコンセントプラグ８３とを結んで導通させるケーブル８２で構成されている。
【００１８】
図２は、電源ケーブル挿抜機構の外観斜視図である。図３は、電源ケーブル挿抜機構の平面図である。図４は、電源ケーブル挿抜機構の側断面図である。図２〜図４を参照して、電源ケーブル挿抜機構１を説明する。
【００１９】
電源ケーブル挿抜機構１は、電源ケーブル８０のプラグ８１を挿入して接続する電源インレット１０と、電源インレット１０と相互に連動して電源インレット１０の挿抜方向への移動を可能とさせる受穴部移動機構部２０と、受穴部移動機構部２０と相互に連動して開閉可能に設置されるカバー部材３０と、を有して構成されている。
【００２０】
電源ケーブル挿抜機構１は、更に、電源インレット１０と相互に連動して移動するレバー４０と、電源インレット１０の抜去方向への移動に連動する受穴部移動機構部２０に連動してプラグ８１を押し出すプラグ押出機構部５０と、を有して構成されている。なお、電源ケーブル挿抜機構１は、電源インレット１０を挟んで対称に、受穴部移動機構部２０とカバー部材３０とが１対設置されているが、図３では省略している。
【００２１】
電源ケーブル挿抜機構１の各構成部を説明する。
電源インレット１０は、開口部１０５の略中央で、開口部１０５側（前面側とする）にインレット端子１１を向けて位置するように設置されている。電源インレット１０の両側面には、図３に示すように、ラックギヤ１５が形成されている。なお、ラックギヤ１５と、後述する受穴部移動機構部２０を構成するギヤ（ピニオン）２１とが噛み合い、電源インレット１０を挿抜方向に直線的に移動させる。また、図４に示すように、電源インレット１０の前面側と逆側となる背面側には、テーパ状に形成されるテーパ部１６を有している。
【００２２】
カバー部材３０は、受穴部移動機構部２０と相互に連動して開閉可能に設置される。そして、カバー部材３０は、閉塞することで、電源インレット１０に挿入したプラグ８１を覆う。カバー部材３０は、図２に示すように、筐体１０１の開口部１０５の左右両端側に１対設置されている。カバー部材３０は、図３に示すように、カバー本体３１と、カバー本体３１の先端部に形成されて開口部１０５から突出する凸部３２と、カバー本体３１の内側の略中央から受穴部移動機構部２０に延びるアーム部３３とを有して構成されている。なお、アーム部３３の先端部は、受穴部移動機構部２０に連結固定されている。
【００２３】
なお、筐体１０１には、カバー本体逃げ溝１０６が形成されており、カバー部材３０のカバー本体３１を移動可能としている。また、カバー本体逃げ溝１０６の側面には、更にアーム部逃げ溝１０７（図２参照）が形成されており、カバー部材３０のアーム部３３を移動可能としている。
【００２４】
受穴部移動機構部２０は、上述したカバー部材３０のアーム部３３と連結固定されて、カバー部材３０と相互に連動する。また、電源インレット１０と相互に連動し、電源インレット１０の挿抜方向（前面側方向と背面側方向）への移動を可能とさせる。受穴部移動機構部２０は、複数のギヤ（図示省略）により構成されており、図３では、電源インレット１０に有するラックギヤ１５に噛み合うギヤ（ピニオン）２１のみを示している。
【００２５】
レバー４０は、電源インレット１０と相互に連動して移動する。レバー４０は、図４に示すように、筐体１０１の開口部１０５の上方に窪んで形成されるレバー用開口溝１０８内で上下方向に移動可能なレバー本体４１と、レバー本体４１の背面側で、筐体１０１内部方向に突出して形成される第１アーム部４２と、この第１アーム部４２の先端から曲折して電源インレット１０のテーパ部１６に当接する第２アーム部４３などを有して構成されている。
【００２６】
第２アーム部４３は、図示省略する付与部により、テーパ部１６に常に当接する力が加わり、テーパ部１６の面を摺動する。この動作により、レバー４０は、電源インレット１０が挿入方向（背面方向）に移動すると、連動してレバー本体４１は、上方向に移動し、レバー本体４１を下方向に移動させると、連動して電源インレット１０が抜去方向（前面方向）に移動する。
【００２７】
プラグ押出機構部５０は、受穴部移動機構部２０が電源インレット１０を抜去方向へ移動させる動作に連動してプラグ８１を押し出す動作を行う。プラグ押出機構部５０は、プラグ８１を押し出すプラグ押出部材５１と、プラグ押出部材５１を駆動させるための押出機構部５２を有して構成されている。
【００２８】
プラグ押出部材５１は、電源インレット１０の挿抜方向の略中心上で挿抜方向に移動可能に設置されている。プラグ押出部材５１は、プラグ８１の先端部に当接する当接部５１１と、当接部５１１を端部に支持固定して棒状に形成される支持部材５１２と、支持部材５１２の側面に形成されるラックギヤ５１３とで構成されている。なお、当接部５１１は、後述する図７（ａ）に示すように、電源インレット１０の３つのインレット端子１１を避ける形状で移動可能に設置されている。
【００２９】
押出機構部５２は、電源インレット１０が抜去方向へ移動する動作に連動して動作する。押出機構部５２は、クラッチギヤ（図示省略）および複数のギヤ（図示省略）により構成されており、図３では、プラグ押出部材５１の支持部材５１２に形成されるラックギヤ５１３に噛み合うギヤ（ピニオン）５２１のみを示している。なお、クラッチギヤは、受穴部移動機構部２０の電源インレット１０を挿入方向へ移動させる動作には、連動せず、電源インレット１０が抜去方向へ移動する動作に連動する受穴部移動機構部２０に連動して動力を他のギヤに伝達する動作を行う。
【００３０】
次に、電源ケーブル挿抜機構１の詳細な動作に関して説明する。
最初に、電源ケーブル８０を電源インレット１０に挿入した場合の動作の説明を行う。
【００３１】
図５は、電源ケーブル挿抜機構の電源インレットに電源ケーブルを挿入した状態を示す図であり、図５（ａ）は外観斜視図であり、図５（ｂ）は平面図であり、図５（ｃ）は側断面図である。
【００３２】
ユーザーは、図５に示すように、電源ケーブル８０のプラグ８１を電源インレット１０に挿入する。この場合、プラグ８１の先端部の挿入に伴って、プラグ押出部材５１は挿入方向に移動する。これは、押出機構部５２のギヤ５２１は、他のギヤを介してクラッチギヤに噛み合っており、挿入方向へのプラグ押出部材５１の移動に伴ってギヤ５２１は、反時計回り方向に回転可能であり、この回転がクラッチギヤにより、受穴部移動機構部２０のギヤ２１には伝達されないため、プラグ押出部材５１は挿入方向に移動可能となる。
【００３３】
なお、電源インレット１０の左右側面の前面側および背面側には、係合凹部（図示省略）が形成され、この係合凹部に係合する係合凸部（図示省略）が筐体１０１に形成されている。そのため、プラグ８１を電源インレット１０に挿入した場合には、電源インレット１０の係合凹部と、筐体１０１の係合凸部とが係合するため挿入方向に移動しない。
【００３４】
この状態では、レバー４０は、下方向に位置するため、レバー本体４１は、レバー用開口溝１０８の下部に位置している。このときのレバー４０の位置が、レバー４０の初期位置となる。また、カバー部材３０は、カバー本体逃げ溝１０６の奥部に位置するため、凸部３２が開口部１０５の左右両端部に位置している。このときのカバー部材３０の位置が、カバー部材３０の初期位置となる。また、プラグ８１が挿入されるときの電源インレット１０の位置が、電源インレット１０の初期位置となる。
【００３５】
次に、この状態で、ユーザーは、開口部１０５の左右両端部に位置するカバー部材３０の凸部３２を把持して開口部１０５の中心方向に移動させる。移動の方向を図５（ａ）、図５（ｂ）に矢印Ａで示している。
【００３６】
次に、プラグ８１を挿入した電源インレット１０を挿入方向に移動させる場合の電源ケーブル挿抜機構１の動作の説明を行う。
【００３７】
図６は、電源ケーブル挿抜機構の電源インレットを挿入方向に移動させた状態を示す図であり、図６（ａ）は外観斜視図であり、図６（ｂ）は平面図であり、図６（ｃ）は側断面図である。
【００３８】
ユーザーが、プラグ８１を電源インレット１０に挿入した後、カバー部材３０を初期位置から開口部１０５の中心方向（矢印Ａ方向）に移動を開始すると、カバー部材３０のアーム部３３に連結固定される受穴部移動機構部２０が駆動を開始する。受穴部移動機構部２０は、カバー部材３０の移動に連動して駆動を開始することにより、ギヤ２１が反時計回り方向（矢印Ｂ方向）に回転を開始する。
【００３９】
ギヤ２１の回転により、ギヤ２１と噛み合う電源インレット１０に有するラックギヤ１５が挿入方向（矢印Ｃ方向）に移動を開始する。つまり、電源インレット１０が初期位置から挿入方向（矢印Ｃ方向）に移動を開始する。なお、このとき、電源インレット１０の係合凹部と、筐体１０１の係合凸部とが係合を解除することで、電源インレット１０は、移動する。
【００４０】
そして、電源インレット１０が挿入方向（矢印Ｃ方向）に移動を開始すると、その動作に連動して、レバー４０の第２アーム部４３が、電源インレット１０のテーパ部１６の面を摺動して上方向に移動することにより、レバー本体４１が初期位置から上方向（矢印Ｄ方向）に移動を開始する。このとき、挿入されたプラグ８１の移動に連動してプラグ押出部材５１のラックギヤ５１３に噛み合う押出機構部５２のギヤ５２１が反時計回り方向に回転し、ギヤ５２１の回転はクラッチギヤにより受穴部移動機構部２０のギヤ２１には伝達しない。その結果、プラグ押出機構部５０のプラグ押出部材５１は、挿入方向（矢印Ｃ方向と同方向）に移動する。カバー部材３０が移動し、それぞれの凸部３２が当接（閉塞）した場合、各構成部の移動も停止する。
【００４１】
上述した電源ケーブル挿抜機構１の動作により、図６（ａ）、図６（ｂ）に示すように、ユーザーが、カバー部材３０を矢印Ａの方向に移動させ、カバー部材３０の凸部３２を相互に当接させて閉塞した場合、凸部３２の略中央に形成されるそれぞれの切り欠き部３２１から、電源ケーブル８０のケーブル８２が筐体１０１外部に延出する状態となる。つまり、カバー部材３０がプラグ８１を覆った状態となる。
【００４２】
なお、この状態のとき、電源ケーブル８０のケーブル８２を把持して引っ張った場合、プラグ８１は、カバー部材３０に当接して抜けない。また、この状態のとき、電源インレット１０の前面側の係合凹部と、筐体１０１の係合凸部とが係合するため、電源ケーブル８０のケーブル８２を把持して引っ張っても電源インレット１０が抜去方向に容易には移動しない。
【００４３】
次に、電源インレット１０に接続（挿入）したプラグ８１を抜去する場合の電源ケーブル挿抜機構１の動作の説明を行う。
【００４４】
図７は、電源ケーブル挿抜機構の電源インレットを抜去方向に移動させた状態を示す図であり、図７（ａ）は外観斜視図であり、図７（ｂ）は平面図であり、図７（ｃ）は側断面図である。
【００４５】
プラグ８１を抜去する場合には、レバー４０を初期位置に戻す動作を行うことにより、電源インレット１０が初期位置に戻ることで抜去する。このとき、カバー部材３０も初期位置に戻ることになる。
【００４６】
ユーザーが、上部に移動したレバー本体４１を初期位置に戻すために下方向（矢印Ｅ方向）に移動を開始すると、その動作に連動して、レバー４０の第２アーム部４３が、電源インレット１０のテーパ部１６の面を摺動して下方向に移動を開始する。この第２アーム部４３の下方向への移動により、電源インレット１０が抜去方向（矢印Ｆ方向）に移動を開始する。
【００４７】
電源インレット１０の抜去方向（矢印Ｆ方向）への移動に伴い、その動作に連動して、ラックギヤ１５と噛み合うギヤ２１が時計回り方向（矢印Ｇ方向）に回転を開始する。ギヤ２１の回転により、受穴部移動機構部２０が駆動を開始する。受穴部移動機構部２０の駆動により、受穴部移動機構部２０と連結固定されるカバー部材３０のアーム部３３が移動を開始することにより、カバー部材３０は、電源ケーブル８０のプラグ８１の閉塞を開放して開口部１０５の左右両端方向（矢印Ｈ方向）に移動を開始する。
【００４８】
一方、受穴部移動機構部２０の駆動により、プラグ押出機構部５０の押出機構部５２が駆動を開始する。詳細には、押出機構部５２のクラッチギヤが、受穴部移動機構部２０のギヤ２１の回転に従動して他のギヤに動力を伝達することにより、他のギヤを介して噛み合うギヤ５２１が、時計回り方向（矢印Ｉ方向）に回転を開始する。ギヤ５２１の回転に従動して、ギヤ５２１に噛み合うプラグ押出部材５１のラックギヤ５１３が抜去方向（矢印Ｊ方向）に移動を開始する。すなわち、プラグ押出部材５１が抜去方向（矢印Ｊ方向）に移動を開始する。
【００４９】
なお、プラグ押出部材５１の抜去方向（矢印Ｊ方向）への移動速度は、電源インレット１０の抜去方向（矢印Ｆ方向）への移動速度より早い速度となるように設定されている。これにより、電源インレット１０が抜去方向（矢印Ｆ方向）へ移動を開始した直後から、プラグ押出部材５１は、電源インレット１０に挿入されているプラグ８１を電源インレット１０から押し出す動作を開始する。
【００５０】
プラグ８１は、プラグ押出部材５１の押し出し動作により、除々に電源インレット１０から押し出される。そして、ユーザーが、レバー本体４１を下方向（矢印Ｅ方向）に押し下げて、レバー本体４１が、レバー用開口溝１０８の下部の初期位置に達したときには、プラグ８１は、電源インレット１０から抜去される。この状態では、電源インレット１０は、初期位置に戻り、カバー部材３０は、開口部１０５の左右両端部に凸部３２が位置する初期位置に移動している。
【００５１】
上述した電源ケーブル挿抜機構１の動作により、ユーザーがレバー本体４１を矢印Ｅ方向に押し下げることにより、ユーザーが直接、プラグ８１を電源インレット１０から引き抜かなくても、電源インレット１０に挿入したプラグ８１を抜去することができる。
【００５２】
上述した実施形態によれば以下の効果が得られる。
（１）本実施形態の電源ケーブル挿抜機構１によれば、電源ケーブル８０のプラグ８１を電源用受穴部としての電源インレット１０に挿入し、カバー部材３０を閉塞した場合、受穴部移動機構部２０は、電源インレット１０を挿入方向に移動させ、カバー部材３０は、挿入された電源ケーブル８０のプラグ８１を覆う。これにより、電源ケーブル８０のケーブル８２が、閉塞したカバー部材３０から出ている状態となる。従って、電源ケーブル８０に人や物が当たっても、電源ケーブル８０のケーブル８２に当たることになり、電源ケーブル８０のプラグ８１に当たることを回避することができるため、電源ケーブル８０と電源インレット１０との接続が不完全となる確率を低減させ、接続の安全性を向上させることができる。また、ケーブル８２が引っ張られても、プラグ８１が、カバー部材３０に当接し、抜去されることが低減され、接続の安全性を向上させることができる。
【００５３】
（２）本実施形態の電源ケーブル挿抜機構１によれば、レバー本体４１を初期位置に戻す動作が行われた場合、電源インレット１０が抜去方向に移動して電源インレット１０の初期位置に戻る。この電源インレット１０が初期位置に戻る移動に連動して受穴部移動機構部２０が連動し、この受穴部移動機構部２０に連動するプラグ押出機構部５０のプラグ押出部材５１が、プラグ８１を押し出す。これにより、レバー本体４１を初期位置に戻す動作を行うことにより、プラグ押出機構部５０（プラグ押出部材５１）がプラグ８１を押し出し、プラグ８１を抜くことができる。従って、電源ケーブル８０（プラグ８１）をこじることなく抜くことができるため、電源ケーブル８０のプラグ８１とケーブル８２との接続部分や、電源インレット１０のインレット端子１１部分に無理な力などが加わることがないため、抜去する際の接続の安全性を向上させることができる。
【００５４】
なお、上述した実施形態に限定されず、種々の変更や改良などを加えて実施することが可能である。変形例を以下に述べる。
【００５５】
（変形例１）前記実施形態の電源ケーブル挿抜機構１は、挿入されたプラグ８１を抜去するプラグ押出機構部５０を備えている。しかし、これに限られず、電源ケーブル挿抜機構１は、プラグ押出機構部５０を備えていなくてもよい。電源ケーブル挿抜機構１が、プラグ押出機構部５０を備えていない場合には、レバー本体４１を初期位置に戻す動作により、電源インレット１０が抜去方向に移動して電源インレット１０の初期位置に戻り、カバー部材３０は、電源ケーブル８０のプラグ８１の閉塞を開放してカバー部材３０の初期位置に戻ることになる。この状態で、ユーザーは、電源インレット１０に挿入したプラグ８１を把持して、安全に電源ケーブル８０を抜くことができる。
【００５６】
（変形例２）前記実施形態の電源ケーブル挿抜機構１は、電源インレット１０を挟んで対称に、受穴部移動機構部２０とカバー部材３０とが１対設置されているが、これに限られず、受穴部移動機構部２０は、１つ使用し、受穴部移動機構部２０に相互に連動する２つのカバー部材３０は、リンク機構により動作する構成としてもよい。
【００５７】
（変形例３）前記実施形態の電源ケーブル挿抜機構１は、プロジェクター１００に適用しているが、これに限られず、電源用受穴部（電源インレット１０）を用いて、電源ケーブル８０を挿入して接続することにより、外部から電力が供給される電子機器であるならば適用することができる。
【図面の簡単な説明】
【００５８】
【図１】本発明の実施形態に係る電源ケーブル挿抜機構を備えたプロジェクターの概略斜視図。
【図２】電源ケーブル挿抜機構の外観斜視図。
【図３】電源ケーブル挿抜機構の平面図。
【図４】電源ケーブル挿抜機構の側断面図。
【図５】電源ケーブル挿抜機構の電源インレットに電源ケーブルを挿入した状態を示す図であり、（ａ）は外観斜視図であり、（ｂ）は平面図であり、（ｃ）は側断面図。
【図６】電源ケーブル挿抜機構の電源インレットを挿入方向に移動させた状態を示す図であり、（ａ）は外観斜視図であり、（ｂ）は平面図であり、（ｃ）は側断面図。
【図７】電源ケーブル挿抜機構の電源インレットを抜去方向に移動させた状態を示す図であり、（ａ）は外観斜視図であり、（ｂ）は平面図であり、（ｃ）は側断面図。
【符号の説明】
【００５９】
１…電源ケーブル挿抜機構、１０…電源インレット、１１…インレット端子、１５…ラックギヤ、１６…テーパ部、２０…受穴部移動機構部、２１…ギヤ、３０…カバー部材、３１…カバー本体、３２…凸部、３３…アーム部、４０…レバー、４１…レバー本体、４２…第１アーム部、４３…第２アーム部、５０…プラグ押出機構部、５１…プラグ押出部材、５２…押出機構部、８０…電源ケーブル、８１…プラグ、８２…ケーブル、１００…プロジェクター、１０１…筐体、１０５…開口部、１０６…カバー本体逃げ溝、１０７…アーム部逃げ溝、１０８…レバー用開口溝、３２１…切り欠き部、５１１…当接部、５１２…支持部材、５１３…ラックギヤ、５２１…ギヤ。
【図１】
2010160907.tif 000003
【図２】
2010160907.tif 000004
【図３】
2010160907.tif 000005
【図４】
2010160907.tif 000006
【図５】
2010160907.tif 000007
【図６】
2010160907.tif 000008
【図７】
2010160907.tif 000009